(57)【要約】【課題】  複数種類のトランスに対して１種類の高さ調整可能なボビンで対応すること。【解決手段】  土台部２Ａとボビン本体２Ｂとからなるボビン２を有し、ボビン本体２Ｂの円筒部２ｄに一次側コイルＣａと二次側コイルＣｂとがその両者間に絶縁テープ４を介在させた状態で巻回されると共に、各コイルＣａ，Ｃｂの端子ａ，ｂが土台部２Ａの適当なピン１ａ，１ｂに接続され、円筒部２ｄの高さＨ１，Ｈ２が両コイルＣａ，Ｃｂ間の電位差に基づく沿面距離に合わせて設定されたトランスにおいて、前記ボビン本体２Ｂと前記土台部２Ａとを互いに分離し、円筒部２ｄの下端部を土台部２Ａの連結枠２ｃに形成した支持孔８に移動可能に挿通することにより、その円筒部２ｄの高さＨ１，Ｈ２が調整可能に形成されている。【選択図】        図１
2007080852.tif 000002
【特許請求の範囲】
【請求項１】
下面に多数のピンを突設した左右一対の基台を所定間隔をおいて互いに平行に配置し該
両基台の上端縁どうしを連結枠を介して一体形成してなる土台部と、前記連結枠上にコア
挿通用円筒部を一体突設し該円筒部の上端にフランジを一体形成してなるボビン本体とか
らなるボビンを有し、前記円筒部に一次コイルと二次コイルとがその両者間に絶縁テープ
を介在させた状態で巻回されると共に、各コイルの端子が前記各基台の適当なピンに接続
され、前記円筒部の連結枠とフランジとの間の高さが前記両コイル間の電位差に基づく沿
面距離に合わせて設定されたトランスにおいて、前記円筒部と前記連結枠とを互いに分離
し、該円筒部の下端部を連結枠に形成した支持孔に移動可能に挿通することにより、その
円筒部の連結枠とフランジとの間の高さが調整可能に形成され、前記円筒部の下端部外周
面と前記支持孔の内周面とのうち、その一方に形成した凸部と、その他方に所定間隔をお
いて複数形成した凹部とからなるロック機構が設けられており、そのロック機構の適当な
凹部を凸部に嵌合させることにより、円筒部の連結枠とフランジとの間の高さを所望通り
に設定することを特徴とするトランス。
【請求項２】
下面に多数のピンを突設した左右一対の基台を所定間隔をおいて互いに平行に配置し該
両基台の上端縁どうしを連結枠を介して一体形成してなる土台部と、前記連結枠上にコア
挿通用円筒部を一体突設し該円筒部の上端にフランジを一体形成してなるボビン本体とか
らなるボビンを有し、前記円筒部に一次コイルと二次コイルとがその両者間に絶縁テープ
を介在させた状態で巻回されると共に、各コイルの端子が前記各基台の適当なピンに接続
され、前記円筒部の連結枠とフランジとの間の高さが前記両コイル間の電位差に基づく沿
面距離に合わせて設定されたトランスにおいて、前記円筒部と前記連結枠とを互いに分離
し、該円筒部の下端部を連結枠に形成した支持孔に移動可能に挿通することにより、その
円筒部の連結枠とフランジとの間の高さが調整可能に形成され、前記円筒部の下端部外周
面と前記支持孔の内周面とが互いにねじ機構を介して嵌合されており、該ねじ機構による
ねじ込み調整により、円筒部の連結枠とフランジとの間の高さを所望通りに設定するよう
にしたことを特徴とするトランス。
【請求項３】
下面に多数のピンを突設した左右一対の基台を所定間隔をおいて互いに平行に配置し該
両基台の上端縁どうしを連結枠を介して一体形成してなる土台部と、前記連結枠上に突設
し該円筒部の上端にフランジを一体形成してなるボビン本体とからなるボビンを有し、前
記円筒部に一次コイルと二次コイルとがその両者間に絶縁テープを介在させた状態で巻回
されると共に、各コイルの端子が前記各基台の適当なピンに接続され、前記円筒部の連結
枠とフランジとの間の高さが前記両コイル間の電位差に基づく沿面距離に合わせて設定さ
れたトランスにおいて、前記円筒部の下端部を連結枠に形成した支持孔に移動可能に挿通
することにより、その円筒部の連結枠とフランジとの間の高さが調整可能に形成されてい
ることを特徴とするトランス。
【請求項４】
前記円筒部の下端部外周面と前記支持孔の内周面とのうち、その一方に形成した凸部と
、その他方に所定間隔をおいて複数形成した凹部とからなるロック機構が設けられており
、適当な凹部を凸部に嵌合させることにより、円筒部の連結枠とフランジとの間の高さを
所望通りに設定するようにしたことを特徴とする請求項３に記載のトランス。
【請求項５】
前記円筒部の下端部外周面と前記支持孔の内周面とが互いにねじ機構を介して嵌合され
ており、該ねじ機構によるねじ込み調整により、円筒部の連結枠とフランジとの間の高さ
を所望通りに設定するようにしたことを特徴とする請求項３に記載のトランス。
【発明の詳細な説明】
【技術分野】
【０００１】
本発明は、例えばビデオ一体型ＤＶＤやＤＶＤレコーダなどに使用されるトランスに関
し、特に、巻線のターン数や必要な沿面距離が異なる複数種類のトランスに対して１種類
のボビンで対応することができるようにしたものである。
【背景技術】
【０００２】
従来、トランスの技術として特許文献１などに記載したものがあり、その一例を図６〜
図１０に基づいて説明すると、図６（ａ）及び図７は、５Ｖ、１２Ｖ、３０Ｖの３種類の
電圧を出力するトランスＴ１を示し、図６（ｂ）及び図８は、３Ｖ、５Ｖ、９Ｖ、１２Ｖ
、３０Ｖの５種類の電圧を出力するトランスＴ２を示している。
【０００３】
前記各トランスＴ１，Ｔ２は、下面に多数のピン１ａ，１ｂを突設した左右一対の基台
２ａ，２ｂを所定間隔をおいて互いに平行に配置し該両基台２ａ，２ｂの上端縁どうしを
連結枠２ｃを介して一体形成してなる土台部２Ａと、前記連結枠２ｃ上にコア挿通用円筒
部２ｄを一体突設し該円筒部２ｄの上端にフランジ２ｅを一体形成してなるボビン本体２
Ｂとからなる合成樹脂製ボビン２を有し、前記円筒部２ｄの上下両端部に巻いたバリアテ
ープ３間に一次側コイルＣａが巻回されると共に、該一次側コイルＣａ上に絶縁テープ４
を介して二次側コイルＣｂが巻回され、該各コイルＣａ，Ｃｂの端子ａ，ｂが各基台２ａ
，２ｂの適当なピン１ａ，１ｂに接続されている。なお、図６中、５は二次側コイルＣｂ
のコイル間に介在させた絶縁テープ、６は両絶縁テープ４，５間の上下両端部に介在させ
たバリアテープである。また、円筒部２ｄにはコア（図示せず）が挿通される。
【０００４】
作動原理を説明すると、各トランスＴ１，Ｔ２のピン１ａ，１ｂをプリント基板（図示
せず）の各貫通孔に挿通してプリント配線に半田付けし、各トランスＴ１，Ｔ２の一次側
コイルＣａに例えば２４０Ｖ（または１００Ｖなど）の電圧をかけることにより、両コイ
ルＣａ，Ｃｂ間の巻線のターン数の差に基づいて、図６（ａ）に示すトランスＴ１では、
一次側コイルＣａから５Ｖ、１２Ｖ、３０Ｖの３種類の電圧が出力され、図６（ｂ）に示
すトランスＴ２では、一次側コイルＣａから３Ｖ、５Ｖ、９Ｖ、１２Ｖ、３０Ｖの５種類
の電圧が出力される。
【０００５】
図１０（ａ）（ｂ）に示すように、トランスＴ１では、両コイルＣａ，Ｃｂ間の電位差
（２４０−５＝２３５Ｖ）に基づき、トランスＴ２では、両コイルＣａ，Ｃｂ間の電位差
（２４０−３＝２３７Ｖ）に基づいて、安全基準上、両コイルＣａ，Ｃｂ間の必要な沿面
距離Ｌ１，Ｌ２が決定され、その電位差が小さいトランスＴ１の沿面距離Ｌ１に比べて電
位差が大きいトランスＴ２の沿面距離Ｌ２が大きくなっており（Ｌ１＜Ｌ２）、その両沿
面距離Ｌ１，Ｌ２の差α（α１＋α２）に合わせて、各トランスＴ１，Ｔ２の円筒部２ｄ
の連結枠２ｃとフランジ２ｅとの間の高さＨ１，Ｈ２が設定されている（図６参照）。
【特許文献１】特開２００２−３１９５１０号公報
【発明の開示】
【発明が解決しようとする課題】
【０００６】
上記従来の構成では、ボビン２を形成するボビン本体２Ｂと土台部２Ａとが一体形成さ
れているため、円筒部２ｄの高さＨ１，Ｈ２が異なる複数種類のボビン２を製作しており
、これでは、製作費が高くつく。
【０００７】
そこで、図６（ｂ）に示すトランスＴ２の円筒部２ｄの高さＨ２が大きいボビン２をト
ランスＴ１にも兼用で使用することが考えられるが、これでは、トランスＴ１の全長が高
さＨ１，Ｈ２の差β（＝Ｈ２−Ｈ１）分だけ余分に大きくなり、その大型化したトランス
Ｔ１では、薄型化や小型化が要望されるビデオ一体型ＤＶＤやＤＶＤレコーダなどの電子
機器の狭い筐体内に組み込むことが困難になる場合がある。
【０００８】
本発明は、上記従来の欠点に鑑み、複数種類のトランスに対して１種類の高さ調整可能
なボビンで対応することができるようにしたトランスを提供することを目的としている。
【課題を解決するための手段】
【０００９】
上記目的を達成するため、請求項１に記載の発明は、下面に多数のピンを突設した左右
一対の基台を所定間隔をおいて互いに平行に配置し該両基台の上端縁どうしを連結枠を介
して一体形成してなる土台部と、前記連結枠上にコア挿通用円筒部を一体突設し該円筒部
の上端にフランジを一体形成してなるボビン本体とからなるボビンを有し、前記円筒部に
一次コイルと二次コイルとがその両者間に絶縁テープを介在させた状態で巻回されると共
に、各コイルの端子が前記各基台の適当なピンに接続され、前記円筒部の連結枠とフラン
ジとの間の高さが前記両コイル間の電位差に基づく沿面距離に合わせて設定されたトラン
スにおいて、前記円筒部と前記連結枠とを互いに分離し、該円筒部の下端部を連結枠に形
成した支持孔に移動可能に挿通することにより、その円筒部の連結枠とフランジとの間の
高さが調整可能に形成され、前記円筒部の下端部外周面と前記支持孔の内周面とのうち、
その一方に形成した凸部と、その他方に所定間隔をおいて複数形成した凹部とからなるロ
ック機構が設けられており、そのロック機構の適当な凹部を凸部に嵌合させることにより
、円筒部の連結枠とフランジとの間の高さを所望通りに設定することを特徴としている。
【００１０】
請求項２に記載の発明は、下面に多数のピンを突設した左右一対の基台を所定間隔をお
いて互いに平行に配置し該両基台の上端縁どうしを連結枠を介して一体形成してなる土台
部と、前記連結枠上にコア挿通用円筒部を一体突設し該円筒部の上端にフランジを一体形
成してなるボビン本体とからなるボビンを有し、前記円筒部に一次コイルと二次コイルと
がその両者間に絶縁テープを介在させた状態で巻回されると共に、各コイルの端子が前記
各基台の適当なピンに接続され、前記円筒部の連結枠とフランジとの間の高さが前記両コ
イル間の電位差に基づく沿面距離に合わせて設定されたトランスにおいて、前記円筒部と
前記連結枠とを互いに分離し、該円筒部の下端部を連結枠に形成した支持孔に移動可能に
挿通することにより、その円筒部の連結枠とフランジとの間の高さが調整可能に形成され
、前記円筒部の下端部外周面と前記支持孔の内周面とが互いにねじ機構を介して嵌合され
ており、該ねじ機構によるねじ込み調整により、円筒部の連結枠とフランジとの間の高さ
を所望通りに設定するようにしたことを特徴としている。
【００１１】
請求項３に記載の発明は、下面に多数のピンを突設した左右一対の基台を所定間隔をお
いて互いに平行に配置し該両基台の上端縁どうしを連結枠を介して一体形成してなる土台
部と、前記連結枠上に突設し該円筒部の上端にフランジを一体形成してなるボビン本体と
からなるボビンを有し、前記円筒部に一次コイルと二次コイルとがその両者間に絶縁テー
プを介在させた状態で巻回されると共に、各コイルの端子が前記各基台の適当なピンに接
続され、前記円筒部の連結枠とフランジとの間の高さが前記両コイル間の電位差に基づく
沿面距離に合わせて設定されたトランスにおいて、前記円筒部の下端部を連結枠に形成し
た支持孔に移動可能に挿通することにより、その円筒部の連結枠とフランジとの間の高さ
が調整可能に形成されていることを特徴としている。
【００１２】
請求項４に記載の発明は、請求項３に記載の発明において、前記円筒部の下端部外周面
と前記支持孔の内周面とのうち、その一方に形成した凸部と、その他方に所定間隔をおい
て複数形成した凹部とからなるロック機構が設けられており、適当な凹部を凸部に嵌合さ
せることにより、円筒部の連結枠とフランジとの間の高さを所望通りに設定するようにし
たことを特徴としている。
【００１３】
請求項５に記載の発明は、請求項３に記載の発明において、前記円筒部の下端部外周面
と前記支持孔の内周面とが互いにねじ機構を介して嵌合されており、該ねじ機構によるね
じ込み調整により、円筒部の連結枠とフランジとの間の高さを所望通りに設定するように
したことを特徴としている。
【発明の効果】
【００１４】
請求項１に記載の発明は実施の一形態（図１〜図４参照）に対応するものであって、こ
れによれば、ボビンを形成するボビン本体と土台部とが互いに分離され、そのボビン本体
の円筒部の下端部を土台部の連結枠に形成した支持孔に移動可能に挿通して該円筒部の高
さを調整するようになっているから、１種類のボビンだけで複数種類のトランスに対応す
ることができ、従来のように円筒部の高さが異なる複数種類のボビンを製作する場合に比
べて製作費を大幅に安くすることができる。
【００１５】
また、電位差が大きいタイプのトランスに対しては、円筒部の高さを大きくして対応す
ることができると共に、電位差が小さいタイプのトランスに対しては、円筒部の高さを小
さくして該トランスを小型化することにより、その小型のトランスを薄型化や小型化を要
望される電子機器の狭い筐体内でも容易に組み込むことができる。
【００１６】
更に、ロック機構の適当な凹部を凸部に嵌合させることにより、円筒部の高さを所望通
りに設定することができる。
【００１７】
請求項２に記載の発明は実施の一形態の変形例（図５参照）に対応するものであって、
これによれば、請求項１に記載の発明とほぼ同様の効果を得ることができ、特に、ねじ機
構によるねじ込み調整を行うことにより、円筒部の高さを調整して所望通りに設定するこ
とができる。
【００１８】
請求項３に記載の発明によれば、ボビンを形成するボビン本体と土台部とが互いに分離
され、そのボビン本体の円筒部の下端部を土台部の連結枠に形成した支持孔に移動可能に
挿通して該円筒部の高さを調整するようになっているから、１種類のボビンだけで複数種
類のトランスに対応することができ、従来のように円筒部の高さが異なる複数種類のボビ
ンを製作する場合に比べて製作費を大幅に安くすることができる。
【００１９】
また、電位差が大きいタイプのトランスに対しては、円筒部の高さを大きくして対応す
ることができると共に、電位差が小さいタイプのトランスに対しては、円筒部の高さを小
さくして該トランスを小型化することにより、その小型のトランスを薄型化や小型化を要
望される電子機器の狭い筐体内でも容易に組み込むことができる。
【００２０】
請求項４に記載の発明によれば、ロック機構の適当な凹部を凸部に嵌合させることによ
り、円筒部の高さを所望通りに設定することができる。
【００２１】
請求項５に記載の発明によれば、ねじ機構によるねじ込み調整を行うことにより、円筒
部の高さを調整して所望通りに設定することができる。
【発明を実施するための最良の形態】
【００２２】
図１〜図４は本発明の実施の一形態であるトランスを示すものであって、図１（ａ）及
び図２は、５Ｖ、１２Ｖ、３０Ｖの３種類の電圧を出力するトランスＴ１を示し、図１（
ｂ）及び図３は、３Ｖ、５Ｖ、９Ｖ、１２Ｖ、３０Ｖの５種類の電圧を出力するトランス
Ｔ２を示しており、ボビン２を形成するボビン本体２Ｂの円筒部２ｄと土台部２Ａの連結
枠２ｃとを互いに分離し、該円筒部２ｄの下端部を連結枠２ｃに形成した支持孔８に移動
可能に挿通することにより、その円筒部２ｄの連結枠２ｃとフランジ２ｅとの間の高さＨ
１，Ｈ２が調整可能に形成され、その高さＨ１，Ｈ２を所望通りに設定するロック機構９
が円筒部２ｄの下端部外周面と支持孔８の内周面との間に設けられている。上記以外の構
成は図６〜図１０に示す構成とほぼ同じなので、同一部分に同一符号を付してその説明を
省略する。
【００２３】
前記ロック機構９は、支持孔８の内周面（または円筒部２ｄの下端部外周面）に周方向
所定間隔（この実施の形態では９０°）をおいて一体突設した複数の凸部９ａと、該各凸
部９ａに対向して円筒部２ｄの下端部外周面（または支持孔８の内周面）に所定間隔ｈを
おいて複数（この実施の形態では２つ）形成した環状凹部９ｂ，９ｃとからなっており、
該両環状凹部９ｂ，９ｃ間の間隔ｈは、電位差が小さいタイプのトランスＴ１と電位差が
大きいタイプのトランスＴ２との沿面距離Ｌ１，Ｌ２の差α（α１＋α２）に合わせてい
る（図１０参照）。
【００２４】
電位差が小さいタイプのトランスＴ１を形成する場合には、図１（ａ）及び図２に示す
ように、円筒部２ｄを支持孔８内に押し込んで、上側凹部９ｂを凸部９ａに嵌合させるこ
とにより、円筒部２ｄの高さＨ１を小さく設定する。
【００２５】
電位差が大きいタイプのトランスＴ２を形成する場合には、図１（ｂ）及び図３に示す
ように、円筒部２ｄを引き上げて、下側凹部９ｃを凸部９ａに嵌合させることにより、円
筒部２ｄの高さＨ２を大きく設定する。
【００２６】
一次側コイルＣａ及び二次側コイルＣｂの巻回手順は従来と同じであるから、その説明
を省略する。
【００２７】
上記構成によれば、ボビン２を形成するボビン本体２Ｂと土台部２Ａとが互いに分離さ
れ、そのボビン本体２Ｂの円筒部２ｄの下端部を連結枠２ｃの支持孔８に移動可能に挿通
して該円筒部２ｄの高さＨ１，Ｈ２を調整するようになっているから、１種類のボビン２
だけで複数種類のトランスＴ１，Ｔ２に対応することができ、従来のように円筒部２ｄの
高さＨ１，Ｈ２が異なる複数種類のボビン２を製作する場合に比べて製作費を大幅に安く
することができる。
【００２８】
また、電位差が大きいタイプのトランスＴ２〔図１（ｂ）参照〕に対しては、円筒部２
ｄの高さＨ２を大きくして対応することができると共に、電位差が小さいタイプのトラン
スＴ１〔図１（ａ）参照〕に対しては、円筒部２ｄの高さＨ１を小さくして該トランスＴ
１を小型化することにより、その小型のトランスＴ１を薄型化や小型化を要望される電子
機器の狭い筐体内でも容易に組み込むことができる。
【００２９】
また、ロック機構９の適当な凹部９ｂ，９ｃに凸部９ａに嵌合させることにより、円筒
部２ｄの高さＨ１，Ｈ２を所望通りに設定することができる。
【００３０】
上記の実施の形態では、凹部９ｂ，９ｃを２つ設けることにより、円筒部２ｄの高さＨ
１，Ｈ２を上下２段調整可能に形成したが、これに限定されるわけではなく、凹部９ｂ，
９ｃを３つ以上設けて、円筒部２ｄの高さＨ１，Ｈ２を上下３段以上に調整可能に形成し
てもよい。
【００３１】
図５はボビン２の変形例を示すものであって、ロック機構９に替えて、円筒部２ｄの下
端部外周面と支持孔８の内周面とが互いにねじ機構１０を介して嵌合されている。上記以
外の構成は図１〜図４に示す実施の一形態とほぼ同じであるから、同一部分に同一符号を
付してその説明を省略する。
【００３２】
上記構成によれば、図１〜図４に示す実施の一形態とほぼ同様の効果を得ることができ
、特に、ねじ機構１０によるねじ込み調整を行うことにより、円筒部２ｄの高さＨ１，Ｈ
２を調整して所望通りに設定することができる。
【図面の簡単な説明】
【００３３】
【図１】（ａ）は本発明の実施の一形態である電位差が小さいタイプのトランスの縦断面図、（ｂ）は同電位差が大きいタイプのトランスの縦断面図である。
【図２】図１のＡ−Ａ矢視図である。
【図３】図１のＢ−Ｂ矢視図である。
【図４】同ボビンの分解斜視図である。
【図５】同ボビンの変形例を示す分解斜視図である。
【図６】（ａ）は従来の電位差が小さいタイプのトランスの縦断面図、（ｂ）は同電位差が大きいタイプのトランスの縦断面図である。
【図７】図６のＣ−Ｃ矢視図である。
【図８】図６のＤ−Ｄ矢視図である。
【図９】同ボビンの斜視図である。
【図１０】（ａ）及び（ｂ）は各トランスの要部の拡大概略縦断面図である。
【符号の説明】
【００３４】
１ａ，１ｂ    ピン
２            ボビン
２Ａ          土台部
２Ｂ          ボビン本体
２ａ，２ｂ    基台
２ｃ          連結枠
２ｄ          円筒部
２ｅ          フランジ
４，５        絶縁テープ
８            支持孔
９            ロック機構
９ａ          凸部
９ｂ，９ｃ    凹部
１０          ねじ機構
Ｔ１          電位差が小さいタイプのトランス
Ｔ２          電位差が大きいタイプのトランス
Ｃａ          一次側コイル
Ｃｂ          二次側コイル
Ｈ１，Ｈ２    円筒部の高さ
ａ，ｂ        コイルの端子
【図１】
2007080852.tif 000003
【図２】
2007080852.tif 000004
【図３】
2007080852.tif 000005
【図４】
2007080852.tif 000006
【図５】
2007080852.tif 000007
【図６】
2007080852.tif 000008
【図７】
2007080852.tif 000009
【図９】
2007080852.tif 000010
【図１０】
2007080852.tif 000011
【図８】
2007080852.tif 000012